(57)【特許請求の範囲】
【請求項１】
モジュールケースと、
前記モジュールケースに収容される赤外線検出装置と、
を備え、
前記モジュールケースは、樹脂を含み、調理容器からの赤外線を前記赤外線検出装置に導くための導光部を備え、
前記赤外線検出装置は、
前記調理容器からの前記赤外線の入射を受けて第１信号を出力する第１赤外線検出素子と、
前記第１信号を補正するための第２信号を出力する第２赤外線検出素子と、
搭載面を有し、当該搭載面上に前記第１赤外線検出素子及び前記第２赤外線検出素子を配置する支持台と、
前記第１赤外線検出素子に対向する上壁と、前記上壁に接続される側壁とからなり、前記第１赤外線検出素子、前記第２赤外線検出素子、及び前記支持台を収容する筐体と、
前記筐体の前記上壁に設けられ、前記赤外線を前記第１赤外線検出素子に入射させるための入射窓と、
を備え、
前記入射窓は、ガラスレンズを含み、
前記ガラスレンズは、ホウケイ酸ガラスを含むと共に、前記筐体の前記上壁の内面のほぼ全体にわたって延在し、
前記第１赤外線検出素子は、前記ガラスレンズの中心軸線上に配置され、
前記第２赤外線検出素子は、前記ガラスレンズの中心部において前記中心軸線と交差する第１軸上に配置され、
前記第１赤外線検出素子からの前記第１信号は、前記第２赤外線検出素子からの前記第２信号に対して逆相に出力される、温度制御モジュール。
【請求項２】
モジュールケースと、
前記モジュールケースに収容される赤外線検出装置と、
を備え、
前記モジュールケースは、樹脂を含み、調理容器からの赤外線を前記赤外線検出装置に導くための導光部を備え、
前記赤外線検出装置は、
前記調理容器からの前記赤外線の入射を受けて第１信号を出力する第１赤外線検出素子と、
前記第１信号を補正するための第２信号を出力する第２赤外線検出素子と、
搭載面を有し、当該搭載面上に前記第１赤外線検出素子及び前記第２赤外線検出素子を配置する支持台と、
前記第１赤外線検出素子に対向する上壁と、前記上壁に接続される側壁とからなり、前記第１赤外線検出素子、前記第２赤外線検出素子、及び前記支持台を収容する筐体と、
前記筐体の前記上壁に設けられ、前記赤外線を前記第１赤外線検出素子に入射させるための入射窓と、
を備え、
前記入射窓は、ガラスを含み、
前記ガラスは、ホウケイ酸ガラスを含むと共に、前記筐体の前記上壁の内面のほぼ全体にわたって延在し、
前記第１赤外線検出素子は、前記入射窓の中心軸線上に配置され、
前記第２赤外線検出素子は、前記入射窓の中心部において前記中心軸線と交差する第１軸上に配置され、
前記第１赤外線検出素子からの前記第１信号は、前記第２赤外線検出素子からの前記第２信号に対して逆相に出力される、温度制御モジュール。
【発明の詳細な説明】
【技術分野】
【０００１】
本発明は、赤外線検出装置に関する。
【背景技術】
【０００２】
赤外線検出装置は、調理容器から放射される赤外線の強度から当該調理容器の温度を測定する装置に用いられる（例えば、特許文献１参照）。
【先行技術文献】
【特許文献】
【０００３】
【特許文献１】特開２００３−１０９７３６号公報
【発明の概要】
【発明が解決しようとする課題】
【０００４】
赤外線検出装置では、温度の測定誤差を低減させる試みが行なわれている。本願発明者の知見によれば、調理容器の温度の測定誤差を低減させるためには、１つの赤外線検出装置内に赤外線検出素子を２つ設けて、当該赤外線検出素子の間隔を小さくする構成が有効である。この構成では、一の赤外線検出素子に赤外線を入射させる一方で、他の赤外線検出素子には赤外線を入射させないようにすることによって、他の赤外線検出素子の出力を利用して一の赤外線検出素子の出力を補正することができる。
【０００５】
しかし、赤外線の入射を遮断するために他の赤外線検出素子が遮蔽膜によって覆われる構成では、他の赤外線検出素子は、例えば、赤外線検出装置の入射窓からの放射エネルギーを検出し難くなる。このため、他の赤外線検出素子は、入射窓からの放射エネルギーの検出結果を用いて一の赤外線検出素子の出力を補正することができず、一の赤外線検出素子の出力を補正する精度が低下する。
【０００６】
本発明は、調理容器の温度を精度よく測定できる赤外線検出装置を提供することを目的とする。
【課題を解決するための手段】
【０００７】
本発明の一態様に係る赤外線検出装置は、調理容器からの赤外線の入射を受けて第１信号を出力する第１赤外線検出素子と、第１信号を補正するための第２信号を出力する第２赤外線検出素子と、搭載面を有し、当該搭載面上に第１赤外線検出素子及び第２赤外線検出素子を配置する支持台と、第１赤外線検出素子に対向する上壁を有し、第１赤外線検出素子、第２赤外線検出素子、及び支持台を収容する筐体と、筐体の上壁に設けられ、赤外線を第１赤外線検出素子に入射させるための入射窓と、を備え、入射窓は、ガラスレンズを含み、第１赤外線検出素子は、ガラスレンズの中心軸線上に配置され、第２赤外線検出素子は、ガラスレンズの中心部において中心軸線と交差する第１軸上に配置され、第１赤外線検出素子からの第１信号は、第２赤外線検出素子からの第２信号に対して逆相に出力される。
【０００８】
本発明の一態様に係る赤外線検出装置では、第１赤外線検出素子は、ガラスレンズの中心軸線上に配置されるので、調理容器から出射された赤外線を受光する。その一方で、第２赤外線検出素子は、ガラスレンズの中心部において中心軸線と交差する第１軸上に配置されるので、調理容器から出射された赤外線の入射を受け難い。また、第２赤外線検出素子が遮蔽膜によって覆われないので、第２赤外線検出素子は、ガラスレンズから放射される放射エネルギーを検出する。さらに、このガラスレンズ自体から放射されるエネルギーは、ガラスレンズから放射状に放出されるので、第１赤外線検出素子と第２赤外線検出素子とは、ガラスレンズから、ほぼ同等のエネルギーを有する放射エネルギーを検出する。
【０００９】
この赤外線検出装置では、第２赤外線検出素子の検出対象が、調理容器から出射された赤外線自体を除いて、第１赤外線検出素子の検出対象に近い。このため、第１赤外線検出素子からの第１信号が、第２赤外線検出素子からの第２信号に対して逆相に出力されることにより、第１赤外線検出素子の出力から、調理容器からの赤外線量についての出力が精度よく取り出される。それゆえ、この赤外線検出装置は、調理容器の温度を精度よく測定することができる。
【００１０】
本発明の別の態様に係る赤外線検出装置は、調理容器からの赤外線の入射を受けて第１信号を出力する第１赤外線検出素子と、第１信号を補正するための第２信号を出力する第２赤外線検出素子と、搭載面を有し、当該搭載面上に第１赤外線検出素子及び第２赤外線検出素子を配置する支持台と、第１赤外線検出素子に対向する上壁を有し、第１赤外線検出素子、第２赤外線検出素子、及び支持台を収容する筐体と、筐体の上壁に設けられ、赤外線を第１赤外線検出素子に入射させるための入射窓と、を備え、入射窓は、ガラスを含み、第１赤外線検出素子は、入射窓の中心軸線上に配置され、第２赤外線検出素子は、入射窓の中心部において中心軸線と交差する第１軸上に配置され、第１赤外線検出素子からの第１信号は、第２赤外線検出素子からの第２信号に対して逆相に出力される。
【００１１】
本発明の別の態様に係る赤外線検出装置では、第１赤外線検出素子は、入射窓の中心軸線上に配置されるので、調理容器から出射された赤外線を受光する。その一方で、第２赤外線検出素子は、入射窓の中心部において中心軸線と交差する第１軸上に配置されるので、調理容器から出射された赤外線の入射を受け難い。また、第２赤外線検出素子が遮蔽膜によって覆われないので、第２赤外線検出素子は、ガラスから放射される放射エネルギーを検出する。さらに、第２赤外線検出素子が放射エネルギーを検出するガラスの領域は、第１赤外線検出素子が放射エネルギーを検出するガラスの領域に近いので、第２赤外線検出素子は、第１赤外線検出素子が検出する放射エネルギーに近い放射エネルギーを検出する。
【００１２】
この赤外線検出装置では、第２赤外線検出素子の検出対象が、調理容器から出射された赤外線自体を除いて、第１赤外線検出素子の検出対象に近い。このため、第１赤外線検出素子からの第１信号が、第２赤外線検出素子からの第２信号に対して逆相に出力されることにより、第１赤外線検出素子の出力から、調理容器からの赤外線量についての出力が精度よく取り出される。それゆえ、この赤外線検出装置は、調理容器の温度を精度よく測定することができる。
【発明の効果】
【００１３】
本発明によれば、調理容器の温度を精度よく測定できる赤外線検出装置が提供される。
【図面の簡単な説明】
【００１４】
【図１】図１は、本実施形態に係る赤外線検出装置を含む温度制御モジュールの構成を示す概略図である。
【図２】図２は、本実施形態に係る赤外線検出装置を示す図である。
【図３】図３は、本実施形態に係る赤外線検出装置における第１赤外線検出素子及び第２赤外線検出素子の電気接続を示す概略図である。
【図４】図４は、赤外線検出装置の第１の別形態を示す断面図である。
【図５】図５は、赤外線検出装置の第２の別形態を示す断面図である。
【図６】図６は、温度制御モジュールの比較例を示す概略図である。
【発明を実施するための形態】
【００１５】
以下、添付図面を参照して、本発明の好適な実施形態について詳細に説明する。なお、説明において、同一要素又は同一機能を有する要素には、同一符号を用いることとし、重複する説明は省略する。
【００１６】
図１は、本実施形態に係る赤外線検出装置を含む温度制御モジュールの構成を示す概略図である。温度制御モジュール１は、モジュールケース２を備え、このモジュールケース２は、赤外線検出装置１０を収容する。モジュールケース２の上方に磁界発生コイル３が設けられ、磁界発生コイル３の上方にトッププレート４が設けられる。トッププレート４上に調理容器５が載置される。本実施形態では、電源回路６が設けられ、この電源回路６から磁界発生コイル３に高周波電流が印加されて、磁界発生コイル３が磁力線Ｍを発生する。この磁力線Ｍによって、調理容器５は、電磁誘導加熱される。温度制御モジュール１は、加熱された調理容器５が放射する赤外線Ｌ１の強度から当該調理容器５の温度を測定する。モジュールケース２は、例えば、熱伝導率の低く、熱容量の高い樹脂を含み、トッププレート４は、結晶化ガラス（例えば、ネオセラム）を含むことができる。調理容器５は、例えば、鉄、ステンレスを含む。
【００１７】
モジュールケース２は、調理容器５からの赤外線Ｌ１を赤外線検出装置１０に導くための導光部７を備え、磁界発生コイル３は、例えば、環状の形状を有し、この環状の中心部に開口３ａを有する。モジュールケース２の導光部７は、磁界発生コイル３の開口３ａの位置に設けられる。モジュールケース２は、赤外線検出装置１０を載置する赤外線検出装置用支持台８を収容する。赤外線検出装置用支持台８は、例えば、ガラスエポキシを含み、この赤外線検出装置用支持台８には、例えば制御ユニット９が設けられる。制御ユニット９は、赤外線検出装置１０に接続される差動増幅器５０、及び、この差動増幅器５０に接続される信号処理回路５１を備える。赤外線検出装置１０からの出力信号が、制御ユニット９から電源回路６に伝送され、電源回路６は、伝送された出力信号に基づいて、磁界発生コイル３に供給される電力を制御する。温度制御モジュール１では、磁界発生コイル３への供給電力の制御によって、調理容器５の温度を適正値に調整する。本実施形態では、冷却風が温度制御モジュール１内に送られることによって、モジュールケース２などが冷却されてもよい。
【００１８】
図２は、本実施形態に係る赤外線検出装置を示す図である。図２の（ａ）部は、本実施形態に係る赤外線検出装置の平面図であり、図２の（ｂ）部は、図２の（ａ）部のＩＩｂ−ＩＩｂ線に沿った断面図である。赤外線検出装置１０は、第１赤外線検出素子２１、第２赤外線検出素子２２、支持台３０、及び筐体４０を備える。第１赤外線検出素子２１は、例えば、サーモパイルを含み、調理容器５からの赤外線Ｌ１の入射を受けて第１信号Ｓ１を出力する。第２赤外線検出素子２２は、例えば、第１赤外線検出素子２１に近似する構成のサーモパイルを含み、第１信号Ｓ１を補正するための第２信号Ｓ２を出力する。第２赤外線検出素子２２は、例えば、第１赤外線検出素子２１の周囲の温度変動に応じて変化する第１赤外線検出素子２１からの出力を補正するために用いられる。
【００１９】
支持台３０は、搭載面３０Ａを有し、当該搭載面３０Ａ上に第１赤外線検出素子２１及び第２赤外線検出素子２２を配置する。支持台３０は、例えば、コバールを含む。支持台３０は、出力端子３１を有し、この出力端子３１を介して、第１赤外線検出素子２１及び第２赤外線検出素子２２からの出力信号が、制御ユニット９に伝送される。
【００２０】
筐体４０は、第１赤外線検出素子２１、第２赤外線検出素子２２、及び支持台３０を収容する。筐体４０は、上壁４１を有し、この上壁４１は、第１赤外線検出素子２１に対向している。筐体４０の上壁４１には、入射窓４２が設けられ、調理容器５からの赤外線Ｌ１は、入射窓４２を透過した後に第１赤外線検出素子２１に入射する。入射窓４２は、ガラスレンズ４３を含み、ガラスレンズ４３は、例えばホウケイ酸ガラスを含む。ガラスレンズ４３は、例えば、筐体４０の上壁４１に溶接によって取り付けられ、上壁４１の内面のほぼ全体にわたって延在する。この構成により、筐体４０及びガラスレンズ４３の強度が確保される。筐体４０は、例えば、コバールを含む。
【００２１】
第１赤外線検出素子２１及び第２赤外線検出素子２２は、同一の支持台３０の搭載面３０Ａ上に配列されており、第１赤外線検出素子２１は、搭載面３０Ａ上において、ガラスレンズ４３の中心軸線Ｃｘ上に配置される。一方、第２赤外線検出素子２２は、搭載面３０Ａ上において、第１軸Ａｘ１上に配置される。第２赤外線検出素子２２は、遮蔽膜などによって覆われない。
【００２２】
一実施例では、入射窓４２は円形の二次元形状を有し、その円の直径Ｄ１は、３．４ｍｍである。筐体４０の上壁４１から筐体４０の底面４０Ｂまでの距離Ｈ１は、５．４ｍｍである。入射窓４２のガラスレンズ４３は、両凸レンズであり、レンズの曲率半径は、その上面４３Ａ及び下面４３Ｂにおいて、共に４ｍｍ〜５ｍｍである。ガラスレンズ４３の厚みＴ１は、１ｍｍ〜２ｍｍである。第１赤外線検出素子２１の中心部と第２赤外線検出素子２２の中心部との距離Ｗ１は、２．３ｍｍである。
【００２３】
図３は、本実施形態に係る赤外線検出装置における第１赤外線検出素子及び第２赤外線検出素子の電気接続を示す概略図である。第１赤外線検出素子２１は、調理容器５から出射された赤外線Ｌ１の入射を受け、その入射強度に応じた第１信号Ｓ１を出力する。第２赤外線検出素子２２は、第１信号Ｓ１を補正するための第２信号Ｓ２を出力する。第１赤外線検出素子２１からの第１信号Ｓ１は、第２赤外線検出素子２２からの第２信号Ｓ２に対して逆相に出力され、第１赤外線検出素子２１及び第２赤外線検出素子２２は、例えば、共に差動増幅器５０に接続される。第１赤外線検出素子２１及び第２赤外線検出素子２２は、例えば、共に一の差動回路に接続されたのち、この差動回路からの信号が増幅回路によって増幅されてもよい。
【００２４】
差動増幅器５０からの差信号５０Ｓ又は増幅回路からの差信号は、信号処理回路５１に入力される。信号処理回路５１は、差動増幅器５０からの差信号５０Ｓ又は増幅回路からの差信号の大きさに基づいて、調理容器５の温度を算出する。この調理容器５の温度の算出結果に基づいて、電磁誘導などによる加熱量が制御される。差動増幅器５０及び信号処理回路５１は、制御ユニット９に含まれる。
【００２５】
以上のように、本実施形態では、第１赤外線検出素子２１及び第２赤外線検出素子２２が同一の支持台３０の搭載面３０Ａ上に配置されるので、サーモパイルを含む第１赤外線検出素子２１及び第２赤外線検出素子２２において冷接点での温度揺らぎの補正が精度よく行われる。
【００２６】
また、本実施形態では、第１赤外線検出素子２１は、調理容器５から出射された赤外線Ｌ１を受光するように、ガラスレンズの中心軸線Ｃｘ上に配置される。第２赤外線検出素子２２は、ガラスレンズ４３の中心部Ｐ１において中心軸線Ｃｘと交差する第１軸Ａｘ１上に配置される。すなわち、第２赤外線検出素子２２は、調理容器５から出射された赤外線Ｌ１を受光しないように配置される。入射窓４２は、例えばホウケイ酸ガラスを含むので、赤外線（波長５μｍ以上）の入射を遮断する。このため、第１赤外線検出素子２１は、加熱時の調理容器５に比べて十分低温のモジュールケース２などから放射される赤外線（波長５μｍ以上）からの影響を殆ど受けないで、加熱時の調理容器５から出射される赤外線（波長５μｍ未満）を検出することができる。第２赤外線検出素子２２は、モジュールケース２などから放射される赤外線（波長５μｍ以上）からの影響を殆ど受けないで、第１赤外線検出素子２１の出力を補正するための検出を行うことができる。
【００２７】
さらに、本実施形態では、第２赤外線検出素子２２が遮蔽膜によって覆われないので、第２赤外線検出素子２２は、ガラスレンズ４３から放射される放射エネルギーを検出する。また、このガラスレンズ４３自体から放射されるエネルギーは、ガラスレンズ４３から放射状に放出されるので、第１赤外線検出素子２１と第２赤外線検出素子２２とは、ガラスレンズ４３から、ほぼ同等のエネルギーを有する放射エネルギーを検出する。第２赤外線検出素子２２が放射エネルギーを検出するガラスレンズ４３の領域は、第１赤外線検出素子２１が放射エネルギーを検出するガラスレンズ４３の領域に近いので、このことによっても、第２赤外線検出素子２２は、第１赤外線検出素子２１が検出する放射エネルギーに近い放射エネルギーを検出する。
【００２８】
この赤外線検出装置１０では、第２赤外線検出素子２２の検出対象が、調理容器５から出射された赤外線Ｌ１自体を除いて、第１赤外線検出素子２１の検出対象に近い。このため、第１赤外線検出素子２１からの第１信号Ｓ１が、第２赤外線検出素子２２からの第２信号Ｓ２に対して逆相に出力されることにより、第１赤外線検出素子２１の出力から、調理容器５からの赤外線量についての出力が精度よく取り出される。それゆえ、この赤外線検出装置１０は、調理容器５の温度を精度よく測定することができる。
【００２９】
図４は、赤外線検出装置の第１の別形態を示す断面図であり、図２の（ｂ）部の断面図に対応する。図４の赤外線検出装置１０Ｐでは、筐体４０Ｐの上壁４１Ｐに設けられる入射窓４２Ｐが、図２の赤外線検出装置１０の入射窓４２に比べて大きい。また、図４の赤外線検出装置１０Ｐでは、入射窓４２Ｐにガラスレンズ４３Ｐが含まれる一方で、そのガラスレンズ４３Ｐの形状が図２の赤外線検出装置１０のガラスレンズ４３の形状と異なっている。ガラスレンズ４３Ｐは、一例として、上面４３Ａにおいて凸形状を成し、下面４３Ｂにおいて平板形状を成している。
【００３０】
図４の赤外線検出装置１０Ｐは、入射窓４２Ｐ及びガラスレンズ４３Ｐの大きさと形状とが異なる点を除いて、図２の赤外線検出装置１０と同様の構成を有する。第１赤外線検出素子２１は、ガラスレンズ４３Ｐの中心軸線Ｃｘ上に配置され、調理容器５から出射された赤外線Ｌ１を受光する。その一方で、第２赤外線検出素子２２は、ガラスレンズ４３Ｐの中心部Ｐ１において中心軸線Ｃｘと交差する第１軸Ａｘ１上に配置され、調理容器５から出射された赤外線Ｌ１の入射を受け難い。
【００３１】
図４の赤外線検出装置１０Ｐでは、図２の赤外線検出装置１０と同様に、第１赤外線検出素子２１からの第１信号Ｓ１が、第２赤外線検出素子２２からの第２信号Ｓ２に対して逆相に出力されることにより、第１赤外線検出素子２１の全体の出力から、調理容器５からの赤外線量についての出力が精度よく取り出されることが可能である。それゆえ、図４の赤外線検出装置１０Ｐは、調理容器５の温度を精度よく測定することができる。
【００３２】
図５は、赤外線検出装置の第２の別形態を示す断面図であり、図２の（ｂ）部の断面図に対応する。図５の赤外線検出装置１０Ｑでは、筐体４０Ｑの上壁４１Ｑに設けられる入射窓４２Ｑが、図２の赤外線検出装置１０の入射窓４２に比べて小さい。また、図５の赤外線検出装置１０Ｑでは、図２の赤外線検出装置１０と異なり、入射窓４２Ｑにガラス４３Ｑが含まれる一方で、そのガラス４３Ｑはレンズ形状を有しておらず、一例として、平板形状を成している。ガラス４３Ｑは、例えばホウケイ酸ガラスを含む。
【００３３】
赤外線検出装置１０Ｑでは、第１赤外線検出素子２１は、入射窓４２の中心軸線Ｄｘ上に配置され、第２赤外線検出素子２２は、入射窓４２の中心部Ｐ２において中心軸線Ｄｘと交差する第１軸Ｂｘ１上に配置される。第２赤外線検出素子２２は、遮蔽膜などによって覆われない。
【００３４】
図５の赤外線検出装置１０Ｑでは、第１赤外線検出素子２１及び第２赤外線検出素子２２が同一の支持台３０の搭載面３０Ａ上に配置されるので、サーモパイルを含む第１赤外線検出素子２１及び第２赤外線検出素子２２において冷接点での温度揺らぎの補正が精度よく行われる。
【００３５】
図５の赤外線検出装置１０Ｑでは、第１赤外線検出素子２１は、調理容器５から出射された赤外線Ｌ１を受光するように、入射窓４２Ｑの中心軸線Ｄｘ上に配置される。第２赤外線検出素子２２は、入射窓４２Ｑの中心部Ｐ２において中心軸線Ｄｘと交差する第１軸Ｂｘ１上に配置される。すなわち、第２赤外線検出素子２２は、調理容器５から出射された赤外線Ｌ１を受光しないように配置される。入射窓４２Ｑは、例えばホウケイ酸ガラスを含むので、赤外線（波長５μｍ以上）の入射を遮断する。このため、第１赤外線検出素子２１は、加熱時の調理容器５に比べて十分低温のモジュールケース２などから放射される赤外線（波長５μｍ以上）からの影響を殆ど受けないで、加熱時の調理容器５から出射される赤外線（波長５μｍ未満）を検出することができる。第２赤外線検出素子２２は、モジュールケース２などから放射される赤外線（波長５μｍ以上）からの影響を殆ど受けないで、第１赤外線検出素子２１の出力を補正するための検出を行うことができる。
【００３６】
また、第２赤外線検出素子２２は遮蔽膜によって覆われないので、第２赤外線検出素子２２は、ガラス４３Ｑから放射される放射エネルギーを検出する。さらに、第２赤外線検出素子２２が放射エネルギーを検出するガラス４３Ｑの領域は、第１赤外線検出素子２１が放射エネルギーを検出するガラス４３Ｑの領域に近いので、第２赤外線検出素子２２は、第１赤外線検出素子２１が検出する放射エネルギーに近い放射エネルギーを検出する。
【００３７】
この赤外線検出装置１０Ｑでは、第２赤外線検出素子２２の検出対象が、調理容器５から出射された赤外線Ｌ１自体を除いて、第１赤外線検出素子２１の検出対象に近い。このため、第１赤外線検出素子２１からの第１信号Ｓ１が、第２赤外線検出素子２２からの第２信号Ｓ２に対して逆相に出力されることにより、第１赤外線検出素子２１の出力のなかから、調理容器５からの赤外線量についての出力のみが精度よく取り出される。それゆえ、この赤外線検出装置１０Ｑは、調理容器５の温度を精度よく測定する。
【００３８】
図６は、温度制御モジュールの比較例を示す概略図である。図６の温度制御モジュール１Ｐでは、モジュールケース２が、第１赤外線検出装置６１、第２赤外線検出装置６２、及び第１赤外線検出装置６１と第２赤外線検出装置６２とを載置する赤外線検出装置用支持台８を収容する。また、第１赤外線検出装置６１及び第２赤外線検出装置６２は、共に一の赤外線検出素子を有する。すなわち、第１赤外線検出装置６１及び第２赤外線検出装置６２は、それぞれ第１赤外線検出素子２１及び第２赤外線検出素子２２を有する。
【００３９】
第１赤外線検出素子２１は、例えば、サーモパイルを含み、調理容器５からの赤外線Ｌ１の入射を受けて第１信号Ｓ１を出力する。第２赤外線検出素子２２は、例えば、第１赤外線検出素子２１に近似する構成のサーモパイルを含み、第１信号Ｓ１を補正するための第２信号Ｓ２を出力する。図６の温度制御モジュール１Ｐは、赤外線検出装置用支持台８が二つの赤外線検出装置を載置する点と、一の赤外線検出装置が共に一の赤外線検出素子を有する点を除いて、図１の温度制御モジュール１と同様の構成を有する。
【００４０】
本比較例では、調理容器５からの赤外線Ｌ１が、第１赤外線検出装置６１に入射する一方で、第２赤外線検出装置６２は、当該第２赤外線検出装置６２に調理容器５からの赤外線Ｌ１が入射しないように配置される。第１赤外線検出装置６１と第２赤外線検出装置６２とが、赤外線検出装置用支持台８上で互いに離れて配置され、第１赤外線検出素子２１及び第２赤外線検出素子２２も互いに離れて配置される。このため、本比較例では、図１の温度制御モジュール１に比べて、サーモパイルを含む第１赤外線検出素子２１及び第２赤外線検出素子２２において冷接点での温度揺らぎの補正は精度よく行われ難い。
【００４１】
また、第１赤外線検出装置６１と第２赤外線検出装置６２とが、赤外線検出装置用支持台８上で互いに離れて配置されるので、第１赤外線検出装置６１の出射窓６３のガラスレンズの温度は、第２赤外線検出装置６２の出射窓６４のガラスレンズの温度と異なる。このため、第１赤外線検出装置６１の出射窓６３のガラスレンズから検出される放射エネルギーは、第２赤外線検出装置６２の出射窓６４のガラスレンズから検出される放射エネルギーと異なる。第２赤外線検出装置６２は、ガラスレンズからの放射エネルギーについては、第１赤外線検出装置６１の検出値に近い検出値を得ることが難しく、第２赤外線検出素子２２は、第１赤外線検出素子２１からの第１信号Ｓ１を補正するための第２信号Ｓ２を精度よく出力し難い。本比較例では、第１赤外線検出装置６１の出力から、調理容器５からの赤外線量についての出力が精度よく取り出されことが困難である。すなわち、本比較例に係る第１赤外線検出装置６１は、調理容器５の温度を精度よく測定し難い。
【符号の説明】
【００４２】
５…調理容器、１０、１０Ｐ、１０Ｑ…赤外線検出装置、２１…第１赤外線検出素子、２２…第２赤外線検出素子、３０…支持台、３０Ａ…搭載面、４１、４１Ｐ、４１Ｑ…上壁、４２、４２Ｐ、４２Ｑ…入射窓、４３、４３Ｐ…ガラスレンズ、４３Ｑ…ガラス、Ａｘ１、Ｂｘ１…第１軸、Ｃｘ、Ｄｘ…中心軸線、Ｌ１…赤外線、Ｐ１、Ｐ２…中心部、Ｓ１…第１信号、Ｓ２…第２信号、４０…筐体。
【図１】
0006682294.tif 000002
【図２】
0006682294.tif 000003
【図３】
0006682294.tif 000004
【図４】
0006682294.tif 000005
【図５】
0006682294.tif 000006
【図６】
0006682294.tif 000007